(57)【要約】【課題】パネルを立てかけた状態で狭いスペースに複数のパネルを効率的に収納し、かつ、その搬入／搬出も容易に行えるようにする。【解決手段】前側を除く周囲三方が支持枠４で囲まれた支持台２の表面に、パネルを搬入／搬出する方向と直交する方向に回転軸が設定されたフリーローラコンベア３を、軸方向で複数に分割して設けた。また、支持台２上には、背面側の支持枠４の水平部４ａから片持ち梁状に突出した仕切り部材５を、横方向に移動可能に設けた。【選択図】  図１
2004250006.tif 000002
【特許請求の範囲】
【請求項１】
平面視略四角形状の支持台の前側を除いた周囲三方に支持枠が立設され、前側からパネルを立てかけ状に搬入、搬出可能に収納保管するパネルストッカにおいて、
上記支持台の表面には、パネルを搬入／搬出する方向と直交する方向に回転軸が設定されたフリーローラコンベアが、軸方向に複数に分割して設けられ、支持台上には、背面に設けられた支持枠の水平部と係合し、前方に水平状に突出支持された仕切り部材が、横方向に移動可能に設けられたことを特徴とするパネルストッカ。
【請求項２】
上記フリーローラコンベアは、断面略コ字形の受金具の凹部に複数のローラが列状に設けられたコンベア部材を、横方向に複数、並べて形成されていることを特徴とする請求項１記載のパネルストッカ。
【請求項３】
上記コンベア部材は、支持台上に載置されたスペーサパネルで位置決め、保持されていることを特徴とする請求項２記載のパネルストッカ。
【発明の詳細な説明】
【０００１】
【発明の属する技術分野】
本発明は、建物の壁面や玄関ドアなどに用いられる種々のパネルを複数枚、立てかけた状態で収容保持するためのパネルストッカに関する。
【０００２】
【従来の技術】
従来、この種のパネルストッカとしては、複数の縦材と横材を簀の子状に組み合わせることにより、表面に複数の係合溝が所定間隔おきに設けられたメインフレームを形成し、このメインフレームの端部に縦長の保持部材を着脱可能に設けることにより、前記係合溝にパネルの下端面を嵌合させて、複数のパネルを互いに間隙を有するように起立状態で保持し、上記保持部材でこのパネルの起立端面を受けることにより、パネルが不用意に飛び出さないように保持したものがあった。（例えば、特許文献１参照。）
また、上側の一側面に搬入搬出口が設けられた函体の対向内側面に、パネルを水平状に支持する複数の支持案内部材を設け、この支持案内部材を昇降機構で連動して駆動することにより、多数のパネルを上下方向に互いの間に間隙を有するように積み重ねて収納するようにしたものもあった。（例えば、特許文献２参照。）
【０００３】
【特許文献１】
特開２０００−３３５６７５号公報（第３−５頁、第１図）
【特許文献２】
特開２００１−３１２１５号公報（第３−４頁、第１図）
【０００４】
【発明が解決しようとする課題】
上述した従来のパネルストッカのうち、前者の特許文献１に示されたものは、パネルを起立状態で保持するようになっているので、パネルの搬入／搬出が他のパネルに邪魔されることなく、自由に行えるが、このパネルは下端面をメインフレームの係合溝に係合させることにより、起立保持されているので、その搬入／搬出のためには、パネルをこの係合溝に沿って移動させなくてはならず、琺瑯など金属製の重量の重いパネルや、あるいは数十枚のパネルをまとめて梱包したものの場合、この作業が行い難いという問題点があった。
【０００５】
また、後者の特許文献２に示されたものは、昇降駆動される複数の支持案内部材で、パネルを函体内に上下方向に重ねた状態で収納するようになっているので、パネルの搬入／搬出は、上側の搬入搬出口から積み重ねられた順番でしか行うことができず、収納されたパネルのうち、任意のものを自由に出し入れすることができないという問題点があった。また、このストッカーは、対向して設けられた複数の支持案内部材を昇降機構で駆動するようになっているので、その駆動源を要すると共に、構成が複雑で高価なものとなり、収納保管設備としては、容易に導入できないという問題点もあった。
【０００６】
本発明は、上記従来のパネルストッカが有していた問題点の解決を課題とする。
【０００７】
【課題を解決するための手段】
上記の課題を解決するために、本発明のうち、請求項１記載の発明は、平面視略四角形状の支持台の前側を除いた周囲三方に支持枠を立設し、前側からパネルを立てかけ状に搬入、搬出可能に収納保管するパネルストッカにおいて、上記支持台の表面に、パネルを搬入／搬出する方向と直交する方向に回転軸が設定されたフリーローラコンベアを、軸方向に複数に分割して設けた。また、支持台上には、背面に設けられた支持枠の水平部と係合し、前方に水平状に突出支持される仕切り部材を、横方向に移動可能に設けた。
【０００８】
請求項２記載の発明は、上記請求項１記載の発明の構成中、フリーローラコンベアを、断面略コ字形の受金具の凹部に複数のローラが列状に設けられたコンベア部材を、横方向に複数、並べて形成されたものと、限定したことを特徴とする。
【０００９】
請求項３記載の発明は、上記請求項２記載の発明の構成中、コンベア部材を、支持台上に載置されたスペーサパネルで位置決め、保持されたものと、限定したことを特徴とする。
【００１０】
【発明の実施の形態】
以下、本発明を図示した実施の形態に基づき詳細に説明する。
【００１１】
図１は、本発明に係るパネルストッカの簡略斜視図である。図示したように、このパネルストッカ１は、平面視略四角形状の支持台２の前側（図１において左手前側）を除いた周囲三方を支持枠４で囲んだ所謂、コンテナ台車状の外観形状を呈している。そして、この開放された前側からパネルを立てかけ状に搬入、搬出するようになっている。
【００１２】
ここにおいて、本発明のパネルストッカ１では、支持台２の中程にその幅方向（図１において左右方向）にわたって回転自在なフリーローラコンベア３を、その上端を支持台２の表面から突出させて設けている。このフリーローラコンベア３は、図２に示すように回転軸３３がパネルを搬入／搬出する方向（図２において左右方向）と直交する方向、即ち、ストッカの左右方向に設定され、かつ、この軸方向に複数に分割され、それぞれが独立して自由に回転できるようになっている。また、このフリーローラコンベア３は、図５に示すように、断面略コ字形の受金具３４の凹部３４ａに、複数のローラ３２を列状に設けてなるコンベア部材３１を、横方向に複数、並べて形成されており、支持台２の前側と後側に載置されたスペーサパネル２１，２２で位置決め、保持されている。なお、図１と図２では、ローラ３２を一部省略しているが、各ローラ３２は、ストッカの前後方向（図２において左右方向）に列状に並んで設けられている。
【００１３】
また、上記支持台２上には、杆状の仕切り部材５が、ストッカの背面側（図１において紙面の奥側）から片持ち梁状に前方に突出して設けられている。この仕切り部材５は、図３に示すように金属製丸パイプ５ａの後端（図３において左端側）に、下向き略コ字形の金具５ｂを取り付けたものであり、パネルストッカ１の背面側の支持枠４の水平部４ａに、この金具５ｂを係合させることにより、水平部４ａに沿って横方向に移動可能に支持されるようになっている。
【００１４】
本発明のパネルストッカ１は、上記の構成を有しており、倉庫内などに設置され、使用されるものである。
【００１５】
次にその使用法について述べると、上記パネルストッカ１は、上述したように、支持台２にそれぞれのローラ３２が独立して回転可能なように軸方向で複数に分割されたフリーローラコンベア３が、パネルを搬入／搬出する方向と直交する方向に回転軸を設定して設けられているので、図４に示すように、収納された複数のパネルＰは、それぞれが独立して前後に移動できるようにこのフリーローラコンベア３で支持されることとなる。よって、パネルストッカ１の前側（図４において紙面の手前側）からのパネルＰの搬入／搬出が、隣り合って収納された他のパネルＰに影響されることなく、一人で容易に行うことができる。
【００１６】
また、本発明のパネルストッカ１では、支持台２上に移動可能に仕切り部材５を設けているので、種類の異なる複数のパネルＰを、この仕切り部材５で種類ごとに分けて整然と収納することができると共に、収納するパネルＰの数が少なくなってもパネルＰが倒れて傷ついたり、あるいは搬入／搬出が困難になる程、傾くことが防止される。なお、この仕切り部材５は、横方向に移動可能に支持枠４の水平部４ａに係合しているが、片持ち梁状に前方に突出し、支持されているので、その係合部分には、モーメント力が作用し、例え、その前方に突出した個所がパネルＰからの横方向の荷重を受けたとしても容易に移動することはない。
【００１７】
以上のようにして本発明のパネルストッカ１は、使用されるものである。
【００１８】
なお、図示した実施の形態では、収納したパネルＰが不用意に飛び出すことがないように、パネルＰの下端を支持するフリーローラコンベア３を支持台２の前側と後側を除いた中央部分だけに設けた例を示したが、このフリーローラコンベア３は、軸方向に複数に分割され、支持したパネルＰだけを前後方向に移動できるようになっていれば良く、取り扱うパネルＰの形状や重心位置、あるいはその取扱方などに応じて、フリーローラコンベア３を設ける位置や長さは任意に変更可能である。また、この変更が容易に行えるように、実施の形態では、フリーローラコンベア３を複数の縦長のコンベア部材３１で構成し、これを支持台２上に載置されたスペーサパネル２１，２２で位置決め保持するようにしたものを例示したが、このフリーローラコンベア３は、パネルストッカ１の支持台２に直接、設けられていても良い。
【００１９】
さらにまた、図示した実施の形態では、仕切り部材５として金属パイプで形成されたものを二つ例示したが、この仕切り部材５は、背面側の支持枠４の水平部４ａに横方向に移動可能に係合したものであれば良く、その形状や数は、図示したものに限定されるものではない。
【００２０】
【発明の効果】
以上説明したように、本発明のうち、請求項１記載の発明は、支持台にそれぞれが独立して回転可能なように軸方向で複数に分割されたフリーローラコンベアを、パネルを搬入／搬出する方向と直交する方向に回転軸を設定して設けたので、隣り合って収納されたパネルに関係なく、任意のパネルを容易に出し入れできる。よって、作業が容易で、作業者の負担が軽減されると共に、その作業能率も向上する。また、横方向に移動可能に仕切り部材を設けているので、種類の異なるパネルを分かり易く、整理して収納することができると共に、収納するパネルの数が少なくなってもパネルが倒れて傷ついたり、あるいは搬入／搬出が困難になる程、パネルが傾くことが防止されるという効果がある。
【００２１】
請求項２記載の発明では、断面略コ字形の受金具の凹部に複数のローラを列状に設けたコンベア部材を、横方向に複数、並べてフリーローラコンベアとしたので、上記請求項１記載の発明の効果に加え、この種のストッカの製造が容易になると共に、ローラが破損した場合でもその補修が、容易かつ費用低廉に行えるという効果がある。
【００２２】
請求項３記載の発明は、コンベア部材を支持台上に載置されたスペーサパネルで位置決め、保持するものとしたので、上記請求項２記載の発明の効果に加え、既存のストッカを容易に改装することができると共に、フリーローラコンベアを設ける位置も使用条件などに応じて任意に変更することができるという効果がある。
【図面の簡単な説明】
【図１】本発明のパネルストッカの実施形態を示した斜視図である。
【図２】支持台とフリーローラコンベアの斜視図である。
【図３】仕切り部材の側面図である。
【図４】パネルを収納した状態の正面図である。
【図５】フリーローラコンベアを構成したコンベア部材の斜視図である。
【符号の説明】
１  パネルストッカ
２  支持台
３  フリーローラコンベア
４  支持枠
４ａ  水平部
５  仕切り部材
５ａ  金属パイプ
５ｂ  金具
２１，２２  スペーサパネル
３１  コンベア部材
３２  ローラ
３３  回転軸
３４  受金具
３４ａ  凹部
【図１】
2004250006.tif 000003
【図２】
2004250006.tif 000004
【図３】
2004250006.tif 000005
【図４】
2004250006.tif 000006
【図５】
2004250006.tif 000007